(57)【要約】  Ｄ２Ｄ通信をサポートする移動通信システムは、前記Ｄ２Ｄ通信における通信相手の発見処理のための発見用信号を他のユーザ端末から受信すると、当該発見用信号の受信電力値を測定するユーザ端末と、前記ユーザ端末又は前記他のユーザ端末から所定の信号を受信すると、当該所定の信号の受信電力値を測定する基地局と、前記発見用信号の受信電力値と前記所定の信号の受信電力値とに基づいて、前記ユーザ端末及び前記他のユーザ端末による前記Ｄ２Ｄ通信を許可するか否かを判定する判定部と、を有する。
2014034389.tif 000002
【特許請求の範囲】
【請求項１】
直接的な端末間通信であるＤ２Ｄ通信をサポートする移動通信システムであって、
前記Ｄ２Ｄ通信における通信相手の発見処理のための発見用信号を他のユーザ端末から受信すると、当該発見用信号の受信電力値を測定するユーザ端末と、
前記ユーザ端末又は前記他のユーザ端末から所定の信号を受信すると、当該所定の信号の受信電力値を測定する基地局と、
前記発見用信号の受信電力値と前記所定の信号の受信電力値とに基づいて、前記ユーザ端末及び前記他のユーザ端末による前記Ｄ２Ｄ通信を許可するか否かを判定する判定部と、
を有することを特徴とする移動通信システム。
【請求項２】
前記ユーザ端末は、前記発見用信号の受信電力値を含んだ前記所定の信号を前記基地局に送信することを特徴とする請求項１に記載の移動通信システム。
【請求項３】
前記基地局は、前記所定の信号として、前記発見用信号を受信することを特徴とする請求項１に記載の移動通信システム。
【請求項４】
前記発見用信号の送信電力値及び／又は前記所定の信号の送信電力値は、前記基地局により指定されることを特徴とする請求項１に記載の移動通信システム。
【請求項５】
直接的な端末間通信であるＤ２Ｄ通信をサポートするユーザ端末であって、
前記Ｄ２Ｄ通信における通信相手の発見処理のための発見用信号を他のユーザ端末から受信すると、当該発見用信号の受信電力値を測定し、当該受信電力値を基地局に送信するよう制御する制御部を有することを特徴とするユーザ端末。
【請求項６】
直接的な端末間通信であるＤ２Ｄ通信をサポートする移動通信システムにおける通信制御方法であって、
ユーザ端末が、前記Ｄ２Ｄ通信における通信相手の発見処理のための発見用信号を他のユーザ端末から受信すると、当該発見用信号の受信電力値を測定するステップＡと、
基地局が、前記ユーザ端末又は前記他のユーザ端末から所定の信号を受信すると、当該所定の信号の受信電力値を測定するステップＢと、
前記発見用信号の受信電力値と前記所定の信号の受信電力値とに基づいて、前記ユーザ端末及び前記他のユーザ端末による前記Ｄ２Ｄ通信を許可するか否かを判定するステップＣと、
を有することを特徴とする通信制御方法。
【発明の詳細な説明】
【技術分野】
【０００１】
本発明は、Ｄ２Ｄ通信をサポートする移動通信システム、ユーザ端末及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な無線通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
現状の仕様においては、Ｄ２Ｄ通信を適切に制御するための仕組みが存在しないという問題がある。
【０００６】
そこで、本発明は、Ｄ２Ｄ通信を適切に制御できる移動通信システム、ユーザ端末及び通信制御方法を提供する。
【０００７】
一実施形態によれば、直接的な端末間通信であるＤ２Ｄ通信をサポートする移動通信システムは、前記Ｄ２Ｄ通信における通信相手の発見処理のための発見用信号を他のユーザ端末から受信すると、当該発見用信号の受信電力値を測定するユーザ端末と、前記ユーザ端末又は前記他のユーザ端末から所定の信号を受信すると、当該所定の信号の受信電力値を測定する基地局と、前記発見用信号の受信電力値と前記所定の信号の受信電力値とに基づいて、前記ユーザ端末及び前記他のユーザ端末による前記Ｄ２Ｄ通信を許可するか否かを判定する判定部と、を有する。
【０００８】
一実施形態によれば、直接的な端末間通信であるＤ２Ｄ通信をサポートするユーザ端末は、前記Ｄ２Ｄ通信における通信相手の発見処理のための発見用信号を他のユーザ端末から受信すると、当該発見用信号の受信電力値を測定し、当該受信電力値を基地局に送信するよう制御する制御部を有する。
【０００９】
一実施形態によれば、直接的な端末間通信であるＤ２Ｄ通信をサポートする移動通信システムにおける通信制御方法は、ユーザ端末が、前記Ｄ２Ｄ通信における通信相手の発見処理のための発見用信号を他のユーザ端末から受信すると、当該発見用信号の受信電力値を測定するステップＡと、基地局が、前記ユーザ端末又は前記他のユーザ端末から所定の信号を受信すると、当該所定の信号の受信電力値を測定するステップＢと、前記発見用信号の受信電力値と前記所定の信号の受信電力値とに基づいて、前記ユーザ端末及び前記他のユーザ端末による前記Ｄ２Ｄ通信を許可するか否かを判定するステップＣと、を有する。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを説明するための図である。
【図７】図７は、Ｄ２Ｄ通信におけるデータパスを説明するための図である。
【図８】図８は、実施形態の基本的な動作を説明するための図である。
【図９】図９は、実施形態に係る動作例１のシーケンス図である。
【図１０】図１０は、実施形態に係る動作例２のシーケンス図である。
【図１１】図１１は、実施形態に係る動作例３のシーケンス図である。
【図１２】図１２は、実施形態に係る動作例４のシーケンス図である。
【図１３】図１３は、実施形態に係る動作例５のシーケンス図である。
【図１４】図１４は、実施形態に係る動作例６のシーケンス図である。
【図１５】図１５は、実施形態に係る動作例７のシーケンス図である。
【図１６】図１６は、実施形態に係る動作例８のシーケンス図である。
【図１７】図１７は、実施形態に係る動作例９のシーケンス図である。
【図１８】図１８は、実施形態に係る動作例１０のシーケンス図である。
【発明を実施するための形態】
【００１１】
［実施形態の概要］
実施形態に係る移動通信システムは、直接的な端末間通信であるＤ２Ｄ通信をサポートする。移動通信システムは、前記Ｄ２Ｄ通信における通信相手の発見処理のための発見用信号を他のユーザ端末から受信すると、当該発見用信号の受信電力値を測定するユーザ端末と、前記ユーザ端末又は前記他のユーザ端末から所定の信号を受信すると、当該所定の信号の受信電力値を測定する基地局と、前記発見用信号の受信電力値と前記所定の信号の受信電力値とに基づいて、前記ユーザ端末及び前記他のユーザ端末による前記Ｄ２Ｄ通信を許可するか否かを判定する判定部と、を有する。
【００１２】
これにより、発見用信号の受信電力値Ａから端末・端末間の距離を推定でき、所定の信号の受信電力値Ｂから端末・基地局間の距離を推定できるので、判定部は、Ｄ２Ｄ通信を許可するか否かを適切に判定できる。例えば、受信電力値Ａ（≒端末・端末間の距離）に比べて、受信電力値Ｂ（≒端末・基地局間の距離）が小さい場合には、Ｄ２Ｄ通信を許可しないことで、Ｄ２Ｄ通信が基地局に大きな干渉を与えることを防止できる。したがって、Ｄ２Ｄ通信を適切に制御できる。
【００１３】
前記ユーザ端末は、前記発見用信号の受信電力値を含んだ前記所定の信号を前記基地局に送信してもよい。これにより、発見用信号の受信電力値Ａを基地局に通知できるので、Ｄ２Ｄ通信を許可するか否かの判定をネットワーク側で行うことができる。また、受信電力値Ａを通知するための信号を、受信電力値Ｂを測定するための信号と共通化できるので、シグナリングを削減できる。
【００１４】
或いは、前記基地局は、前記所定の信号として、前記発見用信号を受信してもよい。これにより、通信相手の発見処理のための信号を、受信電力値Ｂを測定するための信号と共通化できるので、シグナリングを削減できる。
【００１５】
前記発見用信号の送信電力値及び／又は前記所定の信号の送信電力値は、前記基地局により指定されてもよい。これにより、端末・端末間の距離の推定及び端末・基地局間の距離の推定を適切に行うことができる。
【００１６】
［実施形態］
以下において、３ＧＰＰ規格に準拠して構成される移動通信システム（以下、「ＬＴＥシステム」）にＤ２Ｄ通信を導入する場合の実施形態を説明する。
【００１７】
（ＬＴＥシステム）
図１は、本実施形態に係るＬＴＥシステムの構成図である。
【００１８】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００１９】
ＵＥ１００は、移動型の無線通信装置であり、接続を確立したセル（サービングセル）との無線通信を行う。ＵＥ１００はユーザ端末に相当する。
【００２０】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２１】
なお、「セル」は、無線通信エリアの最小単位を示す用語として使用される他に、ＵＥ１００との無線通信を行う機能を示す用語としても使用される。
【００２２】
ｅＮＢ２００は、例えば、無線リソース管理（ＲＲＭ）機能と、ユーザデータのルーティング機能と、モビリティ制御及びスケジューリングのための測定制御機能と、を有する。
【００２３】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００２４】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２５】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２６】
ＯＡＭ４００は、オペレータによって管理されるサーバ装置であり、Ｅ−ＵＴＲＡＮ１０の保守及び監視を行う。
【００２７】
次に、ＵＥ１００及びｅＮＢ２００の構成を説明する。
【００２８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００２９】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３０】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３２】
ＧＮＳＳ受信機１３０は、ＵＥ１００の地理的な位置を示す位置情報を得るために、ＧＮＳＳ信号を受信して、受信した信号をプロセッサ１６０に出力する。
【００３３】
バッテリ１４０は、ＵＥ１００の各ブロックに供給すべき電力を蓄える。
【００３４】
メモリ１５０は、プロセッサ１６０によって実行されるプログラムと、プロセッサ１６０による処理に使用される情報と、を記憶する。
【００３５】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３６】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００３７】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００３８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３９】
メモリ２３０は、プロセッサ２４０によって実行されるプログラムと、プロセッサ２４０による処理に使用される情報と、を記憶する。
【００４０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。なお、メモリ２３０をプロセッサ２４０と一体化し、このセット（すなわち、チップセット）をプロセッサとしてもよい。
【００４１】
図４は、ＬＴＥシステムにおける無線インターフェイスのプロトコルスタック図である。
【００４２】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４３】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００４５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４６】
ＰＤＣＰレイヤは、ヘッダ圧縮・伸張、及び暗号化・復号化を行う。
【００４７】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００４８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００４９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５０】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５１】
ＵＥ１００に割り当てられる無線リソースのうち、周波数リソースはリソースブロックにより特定でき、時間リソースはサブフレーム（又はスロット）により特定できる。
【００５２】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５３】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。具体的には、ＤＭＲＳは、ノーマルＣＰの場合は各スロットの４シンボル目に配置され、拡張ＣＰの場合は各スロットの３シンボル目に配置される。ＳＲＳは、サブフレームの最終シンボルに配置される。
【００５４】
（Ｄ２Ｄ通信）
次に、ＬＴＥシステムの通常の通信（セルラ通信）とＤ２Ｄ通信とを比較して説明する。
【００５５】
図６は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００５６】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００５７】
図７は、Ｄ２Ｄ通信におけるデータパスを示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。この場合、ＵＥ１００−１及びＵＥ１００−２は、Ｄ２Ｄグループを構成する。
【００５８】
ＵＥ１００が、近傍に存在するＵＥを発見した後、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。例えば、ＵＥ１００−２を探索するＵＥ１００−１は、Ｄｉｓｃｏｖｅｒ信号（又はＤｉｓｃｏｖｅｒａｂｌｅ信号）を定期的に送信する。ＵＥ１００−２は、Ｄｉｓｃｏｖｅｒ信号の受信を定期的に試みる。ＵＥ１００−２は、ＵＥ１００−１からのＤｉｓｃｏｖｅｒ信号を受信すると、ＵＥ１００−１を発見し、Ｄｉｓｃｏｖｅｒ信号に対するＤｉｓｃｏｖｅｒ応答であるＤｉｓｃｏｖｅｒ応答をＵＥ１００−１に送信する。ただし、Ｄｉｓｃｏｖｅｒ応答の送信は必須ではなく、省略してもよい。ＵＥ１００−１は、ＵＥ１００−２からのＤｉｓｃｏｖｅｒ応答を受信すると、ＵＥ１００−２を発見する。本実施形態では、Ｄｉｓｃｏｖｅｒ信号（又はＤｉｓｃｏｖｅｒａｂｌｅ信号）、Ｄｉｓｃｏｖｅｒ応答は、発見処理のための発見用信号に相当する。
【００５９】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。なお、Ｌｏｃａｌｌｙ  Ｒｏｕｔｅｄという特殊なモードでは、データパスがＳ−ＧＷ３００を経由せずにｅＮＢ２００を経由する。
【００６０】
ただし、Ｄ２Ｄ通信はＬＴＥシステムの周波数帯域で行われることが想定されており、例えばセルラ通信への干渉を回避するために、ネットワーク（ｅＮＢ２００）の管理下でＤ２Ｄ通信が行われる。Ｄ２Ｄ通信のための無線リソース割り当ての方式としては、主に以下の２つがある。
【００６１】
第１の割り当て方式は、Ｄ２Ｄ通信に使用する無線リソースをＵＥ１００が選択できる方式である。具体的には、ネットワーク（ｅＮＢ２００）は、Ｄ２Ｄ通信に使用可能な無線リソースである割り当て候補無線リソースを示す情報をＵＥ１００に送信する。ＵＥ１００は、当該割り当て候補無線リソースの中から、Ｄ２Ｄ通信に使用する無線リソースを自律的に選択する。
【００６２】
第２の割り当て方式は、Ｄ２Ｄ通信に使用する無線リソースをネットワーク（ｅＮＢ２００）が決定する方式である。すなわち、ＵＥ１００は、Ｄ２Ｄ通信に使用する無線リソースの選択権を持たない。具体的には、ｅＮＢ２００は、Ｄ２Ｄ通信のために動的又は準静的に割り当てた無線リソースを示す情報をＵＥ１００に送信する。ＵＥ１００は、当該割り当てられた無線リソースを用いてＤ２Ｄ通信を行う。
【００６３】
（実施形態に係る動作）
次に、本実施形態に係る動作を説明する。
【００６４】
（１）基本動作
図８は、本実施形態の基本的な動作を説明するための図である。以下においては、ＵＥ１００−１及びＵＥ１００−２が異なるｅＮＢ２００のセルに在圏するケースについて説明する。
【００６５】
図８に示すように、ステップＳ１において、ＵＥ１００−１は、Ｄｉｓｃｏｖｅｒ信号を送信電力値ａで送信する。Ｄｉｓｃｏｖｅｒ信号は、ＵＥ１００−１の識別子と、Ｄ２Ｄ通信に使用するアプリケーションの識別子と、を含む。ＵＥ識別子としては、例えばＧＵＴＩ（Ｇｌｏｂａｌｌｙ  Ｕｎｉｑｕｅ  Ｔｅｍｐｏｒａｒｙ  Ｉｄｅｎｔｉｔｙ）を使用できる。アプリケーション識別子は、例えば、Ｄｉｓｃｏｖｅｒ信号に反応すべきＵＥ（Ｄｉｓｃｏｖｅｒ応答を送信すべきＵＥ）を限定するために使用される。
【００６６】
ＵＥ１００−２は、Ｄｉｓｃｏｖｅｒ信号の待ち受けを行っており、ＵＥ１００−１からのＤｉｓｃｏｖｅｒ信号を受信する。ＵＥ１００−２は、Ｄｉｓｃｏｖｅｒ信号の受信電力値Ａ１（受信強度）を測定し、該測定した受信電力値Ａ１を記憶する。
【００６７】
ステップＳ２において、ＵＥ１００−２は、Ｄｉｓｃｏｖｅｒ信号の受信に応じて、Ｄｉｓｃｏｖｅｒ応答を送信電力値ａでＵＥ１００−１に送信する。Ｄｉｓｃｏｖｅｒ応答は、ＵＥ１００−２の識別子と、Ｄ２Ｄ通信に使用するアプリケーションの識別子と、を含む。
【００６８】
ＵＥ１００−１は、Ｄｉｓｃｏｖｅｒ応答の待ち受けを行っており、ＵＥ１００−２からのＤｉｓｃｏｖｅｒ応答を受信する。ＵＥ１００−１は、Ｄｉｓｃｏｖｅｒ応答の受信電力値Ａ１（受信強度）を測定し、該測定した受信電力値Ａ１を記憶する。
【００６９】
ステップＳ３において、ＵＥ１００−１は、Ｄｉｓｃｏｖｅｒ応答の受信に応じて、Ｄ２Ｄ通信を開始するための信号１（ここでは、Ｄｉｓｃｏｖｅｒ応答情報）をｅＮＢ２００−１に送信する。信号１は、ＵＥ１００−１の識別子と、Ｄ２Ｄ通信に使用するアプリケーションの識別子と、Ｄｉｓｃｏｖｅｒ信号の送信電力値ａと、Ｄｉｓｃｏｖｅｒ応答の受信電力値Ａ１と、を含む。信号１は、ＵＥ１００−２の識別子をさらに含んでもよい。
【００７０】
ｅＮＢ２００−１は、信号１を受信すると、信号１の受信電力値Ｂ１を測定し、該測定した受信電力値Ｂ１を信号１に付加して、信号１をＭＭＥ／Ｓ−ＧＷ３００に転送する。
【００７１】
ステップＳ４において、ＵＥ１００−２は、Ｄｉｓｃｏｖｅｒ応答の送信に応じて、Ｄ２Ｄ通信を開始するための信号２（ここでは、Ｄｉｓｃｏｖｅｒ受信情報）をｅＮＢ２００−２に送信する。信号２は、ＵＥ１００−２の識別子と、Ｄ２Ｄ通信に使用するアプリケーションの識別子と、Ｄｉｓｃｏｖｅｒ応答の送信電力値ａと、Ｄｉｓｃｏｖｅｒ信号の受信電力値Ａ２と、を含む。信号２は、ＵＥ１００−１の識別子をさらに含んでもよい。
【００７２】
ｅＮＢ２００−２は、信号２を受信すると、信号２の受信電力値Ｂ２を測定し、該測定した受信電力値Ｂ２を信号２に付加して、信号２をＭＭＥ／Ｓ−ＧＷ３００に転送する。
【００７３】
ＭＭＥ／Ｓ−ＧＷ３００は、信号１及び信号２を受信すると、信号１及び信号２に基づいて、ＵＥ１００−１及びＵＥ１００−２によるＤ２Ｄ通信の可否を判定する。
【００７４】
具体的には、ＭＭＥ／Ｓ−ＧＷ３００は、発見用信号（Ｄｉｓｃｏｖｅｒ信号、Ｄｉｓｃｏｖｅｒ応答）の受信電力値（Ａ１、Ａ２）と、ｅＮＢ２００がＵＥ１００−１及びＵＥ１００−２から受信した信号の受信電力値（Ｂ１、Ｂ２）と、に基づいて、ＵＥ１００−１及びＵＥ１００−２によるＤ２Ｄ通信の可否を判定する。
【００７５】
本実施形態において、ＭＭＥ／Ｓ−ＧＷ３００は、Ｄ２Ｄ通信を許可するか否かを判定する判定部に相当する。
【００７６】
ここで、発見用信号の送信電力値ａと、信号１及び２の送信電力値（上りリンク送信電力）と、が等しいと仮定すると、ＭＭＥ／Ｓ−ＧＷ３００は、下記条件を満たす場合に、ＵＥ１００−１及びＵＥ１００−２によるＤ２Ｄ通信を許可する。
【００７７】
Ａ１＋α＜Ｂ１
Ａ２＋α＜Ｂ２
【００７８】
一方、ＭＭＥ／Ｓ−ＧＷ３００は、上記条件を満たさない場合には、ＵＥ１００−１及びＵＥ１００−２によるＤ２Ｄ通信を拒否する。
【００７９】
このように、受信電力値Ａ（≒ＵＥ・ＵＥ間の距離）に比べて、受信電力値Ｂ（≒ＵＥ・ｅＮＢ間の距離）が小さい場合には、Ｄ２Ｄ通信を許可しないことで、ＵＥ１００−１及びＵＥ１００−２によるＤ２Ｄ通信がｅＮＢ２００に大きな干渉を与えることを防止できる。
【００８０】
なお、伝搬環境における変動を吸収するために、複数回の計測結果の平均値を用いて、判定を行うことが好ましい。この時、受信電力値Ａ及び受信電力値Ｂの各々の標準偏差３（σA＋σB）を”α”とする。
【００８１】
或いは、Ｄ２Ｄ通信に使用するアプリケーションに応じて”α”を設定してもよい。例えば、アプリケーションがバースト・トラフィックのアプリ（例えば、映像のストリーミング配信、映像のリアルタイム通信、大容量のデータの転送）の場合、”α”を大きい値に設定する。他方、バースト・トラフィックでないアプリ（例えば、チャット、文字によるメール）の場合、”α”を小さい値に設定する。
【００８２】
また、上記条件は、発見用信号の送信電力値ａと、信号１及び２の送信電力値（上りリンク送信電力）と、が等しい場合に適用できるが、異なる場合には、上記条件に代えて下記条件を適用できる。
【００８３】
Ａ１＋α＜Ｂ１−ｂ＋ａ
Ａ２＋α＜Ｂ２−ｂ＋ａ
【００８４】
ここで、“ｂ”は、信号１及び２の送信電力値である。ＭＭＥ／Ｓ−ＧＷ３００は、上記条件を満たさない場合には、ＵＥ１００−１及びＵＥ１００−２によるＤ２Ｄ通信を拒否する。
【００８５】
ＭＭＥ／Ｓ−ＧＷ３００は、ＵＥ１００−１及びＵＥ１００−２によるＤ２Ｄ通信が可能と判定すると、その旨及び必要な情報を各ｅＮＢ２００及び各ＵＥ１００に通知する。その結果、ネットワーク（ＭＭＥ／Ｓ−ＧＷ３００、ｅＮＢ２００）の制御下でＤ２Ｄ通信が開始される。
【００８６】
以上が基本的な動作であるが、本実施形態に係る動作の具体例を以下において説明する。
【００８７】
（２）動作例１
図９は、本実施形態に係る動作例１のシーケンス図である。ここでは、ＵＥ１００−２がＤｉｓｃｏｖｅｒ信号の送信側であり、ＵＥ１００−１がＤｉｓｃｏｖｅｒ信号の受信側であるケースについて説明する。
【００８８】
図９に示すように、ステップＳ１０１及びＳ１０２において、ＭＭＥ／Ｓ−ＧＷ３００は、Ｄｉｓｃｏｖｅｒ信号の送信を指示するためのＤｉｓｃｏｖｅｒ信号送信指示をｅＮＢ２００−２経由でＵＥ１００−２に送信する。Ｄｉｓｃｏｖｅｒ信号送信指示は、Ｄｉｓｃｏｖｅｒ信号の送信電力値ａと、Ｄ２Ｄ通信に使用するアプリケーションの識別子と、を含む。ＵＥ１００−２は、Ｄｉｓｃｏｖｅｒ信号送信指示を受信する。
【００８９】
ステップＳ１０３及びＳ１０４において、ＵＥ１００−２は、Ｄｉｓｃｏｖｅｒ信号送信指示で指定された送信電力値ａで、Ｄｉｓｃｏｖｅｒ信号を送信する。本動作例では、Ｄｉｓｃｏｖｅｒ信号は、ＵＥ１００−２の識別子と、Ｄｉｓｃｏｖｅｒ信号の送信電力値ａと、Ｄ２Ｄ通信に使用するアプリケーションの識別子と、を含む。ＵＥ１００−１は、Ｄｉｓｃｏｖｅｒ信号を受信する。
【００９０】
ステップＳ１０５及びＳ１０６において、ＵＥ１００−１は、Ｄｉｓｃｏｖｅｒ信号の受信電力値Ａを測定し、Ｄ２Ｄ通信を開始するための信号１（本動作例では、Ｄｉｓｃｏｖｅｒ受信情報）をｅＮＢ２００−１に送信する。ここで、ＵＥ１００−１は、Ｄｉｓｃｏｖｅｒ信号に含まれる送信電力値ａで、Ｄｉｓｃｏｖｅｒ受信情報を送信する。Ｄｉｓｃｏｖｅｒ受信情報は、ＵＥ１００−１の識別子と、ＵＥ１００−２の識別子と、Ｄ２Ｄ通信に使用するアプリケーションの識別子と、Ｄｉｓｃｏｖｅｒ信号の受信電力値Ａと、を含む。ｅＮＢ２００−１は、Ｄｉｓｃｏｖｅｒ受信情報を受信する。
【００９１】
ステップＳ１０７及びＳ１０８において、ｅＮＢ２００−１は、Ｄｉｓｃｏｖｅｒ受信情報の受信電力値Ｂを測定し、該測定した受信電力値ＢをＤｉｓｃｏｖｅｒ受信情報に付加して、Ｄｉｓｃｏｖｅｒ受信情報をＭＭＥ／Ｓ−ＧＷ３００に転送する。ＭＭＥ／Ｓ−ＧＷ３００は、Ｄｉｓｃｏｖｅｒ受信情報を受信する。
【００９２】
ステップＳ１０９において、ＭＭＥ／Ｓ−ＧＷ３００は、Ｄｉｓｃｏｖｅｒ受信情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【００９３】
Ａ＋α＜Ｂ
【００９４】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。
【００９５】
ステップＳ１１０及びＳ１１１において、ＭＭＥ／Ｓ−ＧＷ３００は、Ｄ２Ｄ通信の開始を指示するためのＤ２Ｄ指示をｅＮＢ２００−１経由でＵＥ１００−１に送信する。Ｄ２Ｄ指示は、ＵＥ１００−１の識別子と、ＵＥ１００−２の識別子と、Ｄ２Ｄ通信に使用するアプリケーションの識別子と、を含む。ＵＥ１００−１は、Ｄ２Ｄ指示を受信する。
【００９６】
ステップＳ１１２及びＳ１１３において、ＭＭＥ／Ｓ−ＧＷ３００は、Ｄ２Ｄ通信の開始を指示するためのＤ２Ｄ指示をｅＮＢ２００−２経由でＵＥ１００−２に送信する。Ｄ２Ｄ指示は、ＵＥ１００−１の識別子と、ＵＥ１００−２の識別子と、Ｄ２Ｄ通信に使用するアプリケーションの識別子と、を含む。ＵＥ１００−２は、Ｄ２Ｄ指示を受信する。
【００９７】
（３）動作例２
図１０は、本実施形態に係る動作例２のシーケンス図である。ここでは、動作例１との相違点を主として説明する。
【００９８】
図１０に示すように、ステップＳ２０１及びＳ２０２において、ＭＭＥ／Ｓ−ＧＷ３００は、Ｄｉｓｃｏｖｅｒ信号の送信を指示するためのＤｉｓｃｏｖｅｒ信号送信指示をｅＮＢ２００−２経由でＵＥ１００−２に送信する。Ｄｉｓｃｏｖｅｒ信号送信指示は、Ｄｉｓｃｏｖｅｒ信号の送信電力値ａを含む。ＵＥ１００−２は、Ｄｉｓｃｏｖｅｒ信号送信指示を受信する。
【００９９】
ステップＳ２０３及びＳ２０４において、ＵＥ１００−２は、Ｄｉｓｃｏｖｅｒ信号送信指示で指定された送信電力値ａで、Ｄｉｓｃｏｖｅｒ信号を送信する。本動作例では、Ｄｉｓｃｏｖｅｒ信号は、ＵＥ１００−２の識別子と、Ｄｉｓｃｏｖｅｒ信号の送信電力値ａと、を含む。ＵＥ１００−１は、Ｄｉｓｃｏｖｅｒ信号を受信する。
【０１００】
ステップＳ２０５及びＳ２０６において、ＵＥ１００−１は、Ｄｉｓｃｏｖｅｒ信号の受信電力値Ａ１を測定し、Ｄｉｓｃｏｖｅｒ応答をＵＥ１００−２に送信する。ここで、ＵＥ１００−１は、Ｄｉｓｃｏｖｅｒ信号に含まれる送信電力値ａで、Ｄｉｓｃｏｖｅｒ応答を送信する。Ｄｉｓｃｏｖｅｒ応答は、ＵＥ１００−２の識別子と、送信電力値ａと、を含む。ＵＥ１００−２は、Ｄｉｓｃｏｖｅｒ応答を受信する。
【０１０１】
ステップＳ２０７及びＳ２０８において、ＵＥ１００−２は、Ｄｉｓｃｏｖｅｒ応答の受信電力値Ａ２を測定し、信号２（ここでは、Ｄｉｓｃｏｖｅｒ応答情報）をｅＮＢ２００−２に送信する。ここで、ＵＥ１００−２は、ＵＥ１００−１からのＤｉｓｃｏｖｅｒ応答に含まれる送信電力値ａで、Ｄｉｓｃｏｖｅｒ応答情報を送信する。Ｄｉｓｃｏｖｅｒ応答情報は、ＵＥ１００−２の識別子と、ＵＥ１００−１の識別子と、Ｄｉｓｃｏｖｅｒ応答の受信電力値Ａ２と、を含む。ｅＮＢ２００−２は、Ｄｉｓｃｏｖｅｒ応答情報を受信する。
【０１０２】
ステップＳ２０９及びＳ２１０において、ｅＮＢ２００−２は、Ｄｉｓｃｏｖｅｒ応答情報の受信電力値Ｂ２を測定し、該測定した受信電力値Ｂ２をＤｉｓｃｏｖｅｒ応答情報に付加して、Ｄｉｓｃｏｖｅｒ応答情報をＭＭＥ／Ｓ−ＧＷ３００に転送する。ＭＭＥ／Ｓ−ＧＷ３００は、Ｄｉｓｃｏｖｅｒ応答情報を受信する。
【０１０３】
一方、ステップＳ２１１において、ＵＥ１００−１は、Ｄ２Ｄ通信を開始するための信号１（本動作例では、Ｄｉｓｃｏｖｅｒ受信情報）をｅＮＢ２００−１に送信する。ここで、ＵＥ１００−１は、ＵＥ１００−２からのＤｉｓｃｏｖｅｒ信号に含まれる送信電力値ａで、Ｄｉｓｃｏｖｅｒ受信情報を送信する。Ｄｉｓｃｏｖｅｒ受信情報は、ＵＥ１００−１の識別子と、ＵＥ１００−２の識別子と、Ｄ２Ｄ通信に使用するアプリケーションの識別子と、Ｄｉｓｃｏｖｅｒ信号の受信電力値Ａ１と、を含む。ｅＮＢ２００−１は、Ｄｉｓｃｏｖｅｒ受信情報を受信する。
【０１０４】
ステップＳ２１２及びＳ２１３において、ｅＮＢ２００−１は、Ｄｉｓｃｏｖｅｒ受信情報の受信電力値Ｂ１を測定し、該測定した受信電力値Ｂ１をＤｉｓｃｏｖｅｒ受信情報に付加して、Ｄｉｓｃｏｖｅｒ受信情報をＭＭＥ／Ｓ−ＧＷ３００に転送する。ＭＭＥ／Ｓ−ＧＷ３００は、Ｄｉｓｃｏｖｅｒ受信情報を受信する。
【０１０５】
ステップＳ２１４において、ＭＭＥ／Ｓ−ＧＷ３００は、Ｄｉｓｃｏｖｅｒ受信情報及びＤｉｓｃｏｖｅｒ応答情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【０１０６】
Ａ１＋α＜Ｂ１
Ａ２＋α＜Ｂ２
【０１０７】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。
【０１０８】
ステップＳ２１５及びＳ２１６において、ＭＭＥ／Ｓ−ＧＷ３００は、Ｄ２Ｄ通信の開始を指示するためのＤ２Ｄ指示をｅＮＢ２００−１経由でＵＥ１００−１に送信する。Ｄ２Ｄ指示は、ＵＥ１００−１の識別子と、ＵＥ１００−２の識別子と、を含む。ＵＥ１００−１は、Ｄ２Ｄ指示を受信する。
【０１０９】
ステップＳ２１７及びＳ２１８において、ＭＭＥ／Ｓ−ＧＷ３００は、Ｄ２Ｄ通信の開始を指示するためのＤ２Ｄ指示をｅＮＢ２００−２経由でＵＥ１００−２に送信する。Ｄ２Ｄ指示は、ＵＥ１００−１の識別子と、ＵＥ１００−２の識別子と、を含む。ＵＥ１００−２は、Ｄ２Ｄ指示を受信する。
【０１１０】
（４）動作例３
図１１は、本実施形態に係る動作例３のシーケンス図である。ここでは、動作例１との相違点を主として説明する。本動作例は、送信電力値ａをネットワークから指定する点で動作例１と共通するが、送信電力値ａをブロードキャストで送信（報知）する点で動作例１とは異なる。
【０１１１】
図１１に示すように、ステップＳ３０１において、ＭＭＥ／Ｓ−ＧＷ３００は、Ｄｉｓｃｏｖｅｒ信号の送信電力値（最大送信電力値）ａをｅＮＢ２００−２に通知する。
【０１１２】
ステップＳ３０２において、ｅＮＢ２００−２は、送信電力値ａをブロードキャストで送信する。具体的には、ｅＮＢ２００−２は、送信電力値ａを報知情報（ＭＩＢ又はＳＩＢ）に含めて送信する。ＵＥ１００−２は、送信電力値ａを受信する。
【０１１３】
ステップＳ３０３において、ＭＭＥ／Ｓ−ＧＷ３００は、Ｄｉｓｃｏｖｅｒ信号の送信電力値（最大送信電力値）ａをｅＮＢ２００−１に通知する。
【０１１４】
ステップＳ３０４において、ｅＮＢ２００−１は、送信電力値ａをブロードキャストで送信する。具体的には、ｅＮＢ２００−１は、送信電力値ａを報知情報（ＭＩＢ又はＳＩＢ）に含めて送信する。ＵＥ１００−１は、送信電力値ａを受信する。
【０１１５】
ステップＳ３０５及びＳ３０６において、ＵＥ１００−２は、送信電力値ａでＤｉｓｃｏｖｅｒ信号を送信する。本動作例では、Ｄｉｓｃｏｖｅｒ信号は、ＵＥ１００−２の識別子と、Ｄ２Ｄ通信に使用するアプリケーションの識別子と、を含む。ＵＥ１００−１は、Ｄｉｓｃｏｖｅｒ信号を受信する。
【０１１６】
以降の動作（ステップＳ３０７乃至Ｓ３１５）は、動作例１（ステップＳ１０５乃至Ｓ１１３）と同様である。
【０１１７】
（５）動作例４
図１２は、本実施形態に係る動作例４のシーケンス図である。ここでは、動作例１との相違点を主として説明する。本動作例は、送信電力値ａをネットワークから指定する点で動作例１と共通するが、送信電力値ａをブロードキャストで送信（報知）する点で動作例１とは異なる。また、ｅＮＢ２００−２がＵＥ１００−２からのＤｉｓｃｏｖｅｒ信号の受信電力値を測定する点で動作例１とは異なる。
【０１１８】
図１２に示すように、ステップＳ４０１において、ＭＭＥ／Ｓ−ＧＷ３００は、Ｄｉｓｃｏｖｅｒ信号の送信電力値（最大送信電力値）ａをｅＮＢ２００−２に通知する。
【０１１９】
ステップＳ４０２において、ｅＮＢ２００−２は、送信電力値ａをブロードキャストで送信する。具体的には、ｅＮＢ２００−２は、送信電力値ａを報知情報（ＭＩＢ又はＳＩＢ）に含めて送信する。ＵＥ１００−２は、送信電力値ａを受信する。
【０１２０】
ステップＳ４０３において、ＭＭＥ／Ｓ−ＧＷ３００は、Ｄｉｓｃｏｖｅｒ信号の送信電力値（最大送信電力値）ａをｅＮＢ２００−１に通知する。
【０１２１】
ステップＳ４０４において、ｅＮＢ２００−１は、送信電力値ａをブロードキャストで送信する。具体的には、ｅＮＢ２００−１は、送信電力値ａを報知情報（ＭＩＢ又はＳＩＢ）に含めて送信する。ＵＥ１００−１は、送信電力値ａを受信する。
【０１２２】
ステップＳ４０５及びＳ４０６において、ＵＥ１００−２は、送信電力値ａでＤｉｓｃｏｖｅｒ信号を送信する。本動作例では、Ｄｉｓｃｏｖｅｒ信号は、ＵＥ１００−２の識別子と、Ｄ２Ｄ通信に使用するアプリケーションの識別子と、を含む。ｅＮＢ２００−２及びＵＥ１００−１は、Ｄｉｓｃｏｖｅｒ信号を受信する（ステップＳ４０６、Ｓ４０９）。
【０１２３】
ステップＳ４０７及びＳ４０８において、ｅＮＢ２００−２は、Ｄｉｓｃｏｖｅｒ信号の受信電力値Ｂ２を測定し、Ｄｉｓｃｏｖｅｒ受信情報をＭＭＥ／Ｓ−ＧＷ３００に送信する。Ｄｉｓｃｏｖｅｒ受信情報は、ＵＥ１００−２の識別子と、Ｄ２Ｄ通信に使用するアプリケーションの識別子と、Ｄｉｓｃｏｖｅｒ信号の受信電力値Ｂ２と、を含む。ＭＭＥ／Ｓ−ＧＷ３００は、Ｄｉｓｃｏｖｅｒ受信情報を受信する。
【０１２４】
一方、ステップＳ４１０及びＳ４１１において、ＵＥ１００−１は、Ｄｉｓｃｏｖｅｒ信号の受信電力値Ａを測定し、Ｄ２Ｄ通信を開始するための信号１（本動作例では、Ｄｉｓｃｏｖｅｒ受信情報）をｅＮＢ２００−１に送信する。ここで、ＵＥ１００−１は、送信電力値ａでＤｉｓｃｏｖｅｒ受信情報を送信する。Ｄｉｓｃｏｖｅｒ受信情報は、ＵＥ１００−１の識別子と、ＵＥ１００−２の識別子と、Ｄ２Ｄ通信に使用するアプリケーションの識別子と、Ｄｉｓｃｏｖｅｒ信号の受信電力値Ａと、を含む。ｅＮＢ２００−１は、Ｄｉｓｃｏｖｅｒ受信情報を受信する。
【０１２５】
ステップＳ４１２及びＳ４１３において、ｅＮＢ２００−１は、Ｄｉｓｃｏｖｅｒ受信情報の受信電力値Ｂ１を測定し、該測定した受信電力値Ｂ１をＤｉｓｃｏｖｅｒ受信情報に付加して、Ｄｉｓｃｏｖｅｒ受信情報をＭＭＥ／Ｓ−ＧＷ３００に転送する。ＭＭＥ／Ｓ−ＧＷ３００は、Ｄｉｓｃｏｖｅｒ受信情報を受信する。
【０１２６】
ステップＳ４１４において、ＭＭＥ／Ｓ−ＧＷ３００は、Ｄｉｓｃｏｖｅｒ受信情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【０１２７】
Ａ＋α＜Ｂ１
Ａ＋α＜Ｂ２
【０１２８】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。
【０１２９】
ステップＳ４１５及びＳ４１６において、ＭＭＥ／Ｓ−ＧＷ３００は、Ｄ２Ｄ通信の開始を指示するためのＤ２Ｄ指示をｅＮＢ２００−１経由でＵＥ１００−１に送信する。Ｄ２Ｄ指示は、ＵＥ１００−１の識別子と、ＵＥ１００−２の識別子と、Ｄ２Ｄ通信に使用するアプリケーションの識別子と、を含む。ＵＥ１００−１は、Ｄ２Ｄ指示を受信する。
【０１３０】
ステップＳ４１７及びＳ４１８において、ＭＭＥ／Ｓ−ＧＷ３００は、Ｄ２Ｄ通信の開始を指示するためのＤ２Ｄ指示をｅＮＢ２００−２経由でＵＥ１００−２に送信する。Ｄ２Ｄ指示は、ＵＥ１００−１の識別子と、ＵＥ１００−２の識別子と、Ｄ２Ｄ通信に使用するアプリケーションの識別子と、を含む。ＵＥ１００−２は、Ｄ２Ｄ指示を受信する。
【０１３１】
（６）動作例５
図１３は、本実施形態に係る動作例５のシーケンス図である。ここでは、動作例４との相違点を主として説明する。本動作例は、送信電力値ａをネットワークから指定しない点で動作例４とは異なる。
【０１３２】
図１３に示すように、ステップＳ５０１及びＳ５０２において、ＵＥ１００−２は、送信電力値ａでＤｉｓｃｏｖｅｒ信号を送信する。本動作例では、Ｄｉｓｃｏｖｅｒ信号は、ＵＥ１００−２の識別子と、Ｄ２Ｄ通信に使用するアプリケーションの識別子と、送信電力値ａと、を含む。ｅＮＢ２００−２及びＵＥ１００−１は、Ｄｉｓｃｏｖｅｒ信号を受信する（ステップＳ５０２、Ｓ５０５）。
【０１３３】
ステップＳ５０３及びＳ５０４において、ｅＮＢ２００−２は、Ｄｉｓｃｏｖｅｒ信号の受信電力値Ｂ２を測定し、Ｄｉｓｃｏｖｅｒ受信情報をＭＭＥ／Ｓ−ＧＷ３００に送信する。Ｄｉｓｃｏｖｅｒ受信情報は、ＵＥ１００−２の識別子と、Ｄ２Ｄ通信に使用するアプリケーションの識別子と、送信電力値ａと、Ｄｉｓｃｏｖｅｒ信号の受信電力値Ｂ２と、を含む。ＭＭＥ／Ｓ−ＧＷ３００は、Ｄｉｓｃｏｖｅｒ受信情報を受信する。
【０１３４】
一方、ステップＳ５０６及びＳ５０７において、ＵＥ１００−１は、Ｄｉｓｃｏｖｅｒ信号の受信電力値Ａ１を測定し、Ｄ２Ｄ通信を開始するための信号１（本動作例では、Ｄｉｓｃｏｖｅｒ受信情報）をｅＮＢ２００−１に送信する。ここで、ＵＥ１００−１は、送信電力値ａでＤｉｓｃｏｖｅｒ受信情報を送信する。Ｄｉｓｃｏｖｅｒ受信情報は、ＵＥ１００−１の識別子と、ＵＥ１００−２の識別子と、Ｄ２Ｄ通信に使用するアプリケーションの識別子と、Ｄｉｓｃｏｖｅｒ信号の受信電力値Ａ１と、を含む。ｅＮＢ２００−１は、Ｄｉｓｃｏｖｅｒ受信情報を受信する。
【０１３５】
ステップＳ５０８において、ｅＮＢ２００−１は、Ｄｉｓｃｏｖｅｒ受信情報をＭＭＥ／Ｓ−ＧＷ３００に転送する。ＭＭＥ／Ｓ−ＧＷ３００は、Ｄｉｓｃｏｖｅｒ受信情報を受信する。
【０１３６】
ステップＳ５０９において、ＭＭＥ／Ｓ−ＧＷ３００は、Ｄｉｓｃｏｖｅｒ受信情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【０１３７】
Ａ１＋α（ａ）＜Ｂ１
【０１３８】
ここで、“α（ａ）”としては、送信電力値ａに応じた値が設定される。
【０１３９】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。
【０１４０】
以降の動作（ステップＳ５１０乃至Ｓ５１３）は、動作例４（ステップＳ４１５乃至Ｓ４１８）と同様である。
【０１４１】
（７）動作例６
図１４は、本実施形態に係る動作例６のシーケンス図である。ここでは、動作例５との相違点を主として説明する。
【０１４２】
図１４に示すように、本動作例の各ステップ（ステップＳ６０１乃至Ｓ６１３）は、基本的には動作例５（ステップＳ５０１乃至Ｓ５１３）と同様である。ただし、ステップＳ６０７乃至Ｓ６１１は、ＵＬ送信電力値ｂが送信電力値ａ以上である場合にのみ実施される点で動作例５とは異なる。すなわち、ＵＬ送信電力値ｂが送信電力値ａ未満の場合は、ＵＥ１００は、Ｄｉｓｃｏｖｅｒ受信情報を送信しなくてもよい。
【０１４３】
（８）動作例７
図１５は、本実施形態に係る動作例７のシーケンス図である。ここでは、動作例４との相違点を主として説明する。
【０１４４】
図１５に示すように、本動作例の各ステップ（ステップＳ７０１乃至Ｓ７１８）は、基本的には動作例４（ステップＳ４０１乃至Ｓ４１８）と同様である。ただし、Ｄｉｓｃｏｖｅｒ信号に代えてＤｉｓｃｏｖｅｒａｂｌｅ信号が使用される点で動作例４とは異なる。
【０１４５】
（９）動作例８
図１６は、本実施形態に係る動作例８のシーケンス図である。ここでは、動作例７との相違点を主として説明する。
【０１４６】
図１６に示すように、ステップＳ８０１乃至Ｓ８０９は、動作例７（ステップＳ７０１乃至Ｓ７０９）と同様である。
【０１４７】
ステップＳ８１０において、ＵＥ１００−１は、Ｄｉｓｃｏｖｅｒａｂｌｅ信号の受信電力値Ａ１を測定する。
【０１４８】
ステップＳ８１１以降の動作は、ＵＬ送信電力値ｂが送信電力値ａ以上である場合にのみ実施される。
【０１４９】
ステップＳ８１１において、ＵＥ１００−１は、Ｄ２Ｄ通信を開始するための信号１（本動作例では、Ｄｉｓｃｏｖｅｒａｂｌｅ受信情報）をｅＮＢ２００−１に送信する。ここで、ＵＥ１００−１は、送信電力値ｂでＤｉｓｃｏｖｅｒａｂｌｅ受信情報を送信する。Ｄｉｓｃｏｖｅｒａｂｌｅ受信情報は、ＵＥ１００−１の識別子と、ＵＥ１００−２の識別子と、Ｄ２Ｄ通信に使用するアプリケーションの識別子と、Ｄｉｓｃｏｖｅｒａｂｌｅ信号の受信電力値Ａ１と、を含む。ｅＮＢ２００−１は、Ｄｉｓｃｏｖｅｒａｂｌｅ受信情報を受信する。
【０１５０】
ステップＳ８１２において、ｅＮＢ２００−１は、Ｄｉｓｃｏｖｅｒａｂｌｅ受信情報をＭＭＥ／Ｓ−ＧＷ３００に転送する。ＭＭＥ／Ｓ−ＧＷ３００は、Ｄｉｓｃｏｖｅｒａｂｌｅ受信情報を受信する。
【０１５１】
ステップＳ８１３において、ＭＭＥ／Ｓ−ＧＷ３００は、Ｄｉｓｃｏｖｅｒａｂｌｅ受信情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【０１５２】
Ａ１＋α（ａ）＜Ｂ１
【０１５３】
ここで、“α（ａ）”としては、送信電力値ａに応じた値が設定される。
【０１５４】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。以降の動作（ステップＳ８１４乃至Ｓ８１７）は、上述した動作例と同様である。
【０１５５】
（１０）動作例９
図１７は、本実施形態に係る動作例９のシーケンス図である。ここでは、動作例８との相違点を主として説明する。
【０１５６】
図１７に示すように、ステップＳ９０１乃至Ｓ９０７は、動作例８（ステップＳ８０１乃至Ｓ８０７）と同様である。
【０１５７】
ステップＳ９０８において、ＵＥ１００−１は、ＵＥ１００−２からのＤｉｓｃｏｖｅｒａｂｌｅ信号を受信すると、ステップＳ９０９において、Ｄｉｓｃｏｖｅｒａｂｌｅ信号の受信電力値Ａ１を測定する。そして、ステップＳ９１０及びＳ９１４において、ＵＥ１００−１は、Ｄ２Ｄ通信を開始するための信号１（本動作例では、Ｄｉｓｃｏｖｅｒａｂｌｅ受信情報）をＵＥ１００−２及びｅＮＢ２００−１に送信する。ここで、ＵＥ１００−１は、送信電力値ａでＤｉｓｃｏｖｅｒａｂｌｅ受信情報を送信する。Ｄｉｓｃｏｖｅｒａｂｌｅ受信情報は、ＵＥ１００−１の識別子と、ＵＥ１００−２の識別子と、Ｄ２Ｄ通信に使用するアプリケーションの識別子と、Ｄｉｓｃｏｖｅｒａｂｌｅ信号の受信電力値Ａ１と、を含む。
【０１５８】
ステップＳ９１１において、ＵＥ１００−２は、ＵＥ１００−１からのＤｉｓｃｏｖｅｒａｂｌｅ受信信号を受信すると、Ｄｉｓｃｏｖｅｒａｂｌｅ受信情報の受信電力値Ａ２を測定する。そして、ステップＳ９１１及びＳ９１２において、ＵＥ１００−２は、Ｄ２Ｄ通信を開始するための信号２（本動作例では、Ｄｉｓｃｏｖｅｒａｂｌｅ受信情報）をｅＮＢ２００−２に送信する。ここで、ＵＥ１００−２は、送信電力値ａでＤｉｓｃｏｖｅｒａｂｌｅ受信情報を送信する。Ｄｉｓｃｏｖｅｒａｂｌｅ受信情報は、ＵＥ１００−１の識別子と、ＵＥ１００−２の識別子と、Ｄ２Ｄ通信に使用するアプリケーションの識別子と、Ｄｉｓｃｏｖｅｒａｂｌｅ受信信号の受信電力値Ａ２と、を含む。ｅＮＢ２００−２は、Ｄｉｓｃｏｖｅｒａｂｌｅ受信情報を受信する。
【０１５９】
ステップＳ９１３において、ｅＮＢ２００−２は、Ｄｉｓｃｏｖｅｒａｂｌｅ受信情報に受信電力値Ｂ２を付加して、Ｄｉｓｃｏｖｅｒａｂｌｅ受信情報をＭＭＥ／Ｓ−ＧＷ３００に転送する。ＭＭＥ／Ｓ−ＧＷ３００は、Ｄｉｓｃｏｖｅｒａｂｌｅ受信情報を受信する。
【０１６０】
一方、ステップＳ９１５及びＳ９１６において、ｅＮＢ２００−１は、Ｄｉｓｃｏｖｅｒａｂｌｅ受信情報の受信電力値Ｂ１を測定し、該測定した受信電力値Ｂ１をＤｉｓｃｏｖｅｒａｂｌｅ受信情報に付加して、Ｄｉｓｃｏｖｅｒａｂｌｅ受信情報をＭＭＥ／Ｓ−ＧＷ３００に転送する。ＭＭＥ／Ｓ−ＧＷ３００は、Ｄｉｓｃｏｖｅｒａｂｌｅ受信情報を受信する。
【０１６１】
ステップＳ９１７において、ＭＭＥ／Ｓ−ＧＷ３００は、Ｄｉｓｃｏｖｅｒａｂｌｅ受信情報に基づいて、ＵＥ１００−１及びＵＥ１００−２によるＤ２Ｄ通信の可否を判定する。本動作例では、ＭＭＥ／Ｓ−ＧＷ３００は、下記条件を満たす場合に、ＵＥ１００−１及びＵＥ１００−２によるＤ２Ｄ通信を許可する。
【０１６２】
Ａ１＋α＜Ｂ１
Ａ１＋α＜Ｂ２
【０１６３】
一方、ＭＭＥ／Ｓ−ＧＷ３００は、上記条件を満たさない場合には、ＵＥ１００−１及びＵＥ１００−２によるＤ２Ｄ通信を拒否する。ここでは、上記条件を満たすと仮定して説明を進める。以降の動作（ステップＳ９１８乃至Ｓ９２１）は、上述した動作例と同様である。
【０１６４】
（１１）動作例１０
図１８は、本実施形態に係る動作例１０のシーケンス図である。ここでは、動作例９との相違点を主として説明する。本動作例は、Ｄ２Ｄ通信の可否を判定する主体がＵＥ１００−２である点で、上述した動作例とは異なる。すなわち、本動作例においてＵＥ１００−２は、Ｄ２Ｄ通信の可否を判定する判定部を有する。
【０１６５】
図１８に示すように、ステップＳ１００１において、ＭＭＥ／Ｓ−ＧＷ３００は、Ｄｉｓｃｏｖｅｒａｂｌｅ信号の送信電力値ａと、“α”（すなわち、受信電力値Ａに付加するオフセット値）と、をｅＮＢ２００−２に通知する。
【０１６６】
ステップＳ１００２において、ｅＮＢ２００−２は、送信電力値ａ及び“α”をブロードキャストで送信する。具体的には、ｅＮＢ２００−２は、送信電力値ａ及び“α”を報知情報（ＭＩＢ又はＳＩＢ）に含めて送信する。ＵＥ１００−２は、送信電力値ａ及び“α”を受信する。
【０１６７】
ステップＳ１００３において、ＭＭＥ／Ｓ−ＧＷ３００は、Ｄｉｓｃｏｖｅｒａｂｌｅ信号の送信電力値ａと、“α”（すなわち、受信電力値Ａに付加するオフセット値）と、をｅＮＢ２００−１に通知する。
【０１６８】
ステップＳ１００４において、ｅＮＢ２００−１は、送信電力値ａ及び“α”をブロードキャストで送信する。具体的には、ｅＮＢ２００−１は、送信電力値ａ及び“α”を報知情報（ＭＩＢ又はＳＩＢ）に含めて送信する。ＵＥ１００−１は、送信電力値ａ及び“α”を受信する。
【０１６９】
ステップＳ１００５及びＳ１００６において、ＵＥ１００−２は、送信電力値ａでＤｉｓｃｏｖｅｒａｂｌｅ信号を送信する。本動作例では、Ｄｉｓｃｏｖｅｒａｂｌｅ信号は、ＵＥ１００−２の識別子と、Ｄ２Ｄ通信に使用するアプリケーションの識別子と、を含む。ｅＮＢ２００−２及びＵＥ１００−１は、Ｄｉｓｃｏｖｅｒａｂｌｅ信号を受信する（ステップＳ１００６、Ｓ１００９）。
【０１７０】
ステップＳ１００７及びＳ１００８において、ｅＮＢ２００−２は、Ｄｉｓｃｏｖｅｒａｂｌｅ信号の受信電力値Ｂ２を測定し、Ｄｉｓｃｏｖｅｒａｂｌｅ受信情報をＵＥ１００−２に送信する。Ｄｉｓｃｏｖｅｒａｂｌｅ受信情報は、ＵＥ１００−２の識別子と、Ｄ２Ｄ通信に使用するアプリケーションの識別子と、Ｄｉｓｃｏｖｅｒａｂｌｅ信号の受信電力値Ｂ２と、を含む。ＵＥ１００−２は、Ｄｉｓｃｏｖｅｒａｂｌｅ受信情報を受信する。
【０１７１】
一方、ステップＳ１０１０及びＳ１０１１において、ＵＥ１００−１は、Ｄｉｓｃｏｖｅｒａｂｌｅ信号の受信電力値Ａ１を測定し、Ｄ２Ｄ通信を開始するための信号１（本動作例では、Ｄｉｓｃｏｖｅｒａｂｌｅ受信情報）をｅＮＢ２００−１に送信する。ここで、ＵＥ１００−１は、送信電力値ａでＤｉｓｃｏｖｅｒａｂｌｅ受信情報を送信する。Ｄｉｓｃｏｖｅｒａｂｌｅ受信情報は、ＵＥ１００−１の識別子を含む。ｅＮＢ２００−１は、Ｄｉｓｃｏｖｅｒａｂｌｅ受信情報を受信する。
【０１７２】
ステップＳ１０１２及びＳ１０１３において、ｅＮＢ２００−１は、Ｄｉｓｃｏｖｅｒａｂｌｅ受信情報の受信電力値Ｂ１を測定し、該測定した受信電力値Ｂ１をＤｉｓｃｏｖｅｒａｂｌｅ受信情報に付加して、Ｄｉｓｃｏｖｅｒａｂｌｅ受信情報をＵＥ１００−１に送信する。ＵＥ１００−１は、Ｄｉｓｃｏｖｅｒａｂｌｅ受信情報を受信する。
【０１７３】
ステップＳ１０１４において、ＵＥ１００−１は、受信電力値Ａ１をＤｉｓｃｏｖｅｒａｂｌｅ受信情報に付加して、Ｄｉｓｃｏｖｅｒａｂｌｅ受信情報をＵＥ１００−２に送信する。
【０１７４】
ステップＳ１０１５において、ＵＥ１００−２は、ＵＥ１００−１からのＤｉｓｃｏｖｅｒａｂｌｅ受信情報の受信電力値Ｂ２を測定する。
【０１７５】
ステップＳ１０１６において、ＵＥ１００−２は、Ｄｉｓｃｏｖｅｒａｂｌｅ受信情報などに基づいて、ＵＥ１００−１及びＵＥ１００−２によるＤ２Ｄ通信の可否を判定する。本動作例では、ＵＥ１００−２は、下記条件を満たす場合に、ＵＥ１００−１及びＵＥ１００−２によるＤ２Ｄ通信が可能であると判定する。
【０１７６】
Ａ１＋α＜Ｂ１
Ａ１＋α＜Ｂ２
【０１７７】
一方、ＵＥ１００−２は、上記条件を満たさない場合には、ＵＥ１００−１及びＵＥ１００−２によるＤ２Ｄ通信が不可であると判定する。ここでは、上記条件を満たすと仮定して説明を進める。
【０１７８】
ステップＳ１０１７において、ＵＥ１００−２は、ＵＥ１００−１及びＵＥ１００−２によるＤ２Ｄ通信が可能であることを示すＤｉｓｃｏｖｅｒａｂｌｅ受信情報をｅＮＢ２００−２経由でＭＭＥ／Ｓ−ＧＷ３００に送信する。Ｄｉｓｃｏｖｅｒａｂｌｅ受信情報は、ＵＥ１００−１の識別子と、ＵＥ１００−２の識別子と、各種電力値（Ａ１、Ｂ１、Ａ２、Ｂ２）と、を含む。ＭＭＥ／Ｓ−ＧＷ３００は、Ｄｉｓｃｏｖｅｒａｂｌｅ受信情報を受信する。
【０１７９】
ステップＳ１０１８において、ＭＭＥ／Ｓ−ＧＷ３００は、ＵＥ１００−２からのＤｉｓｃｏｖｅｒａｂｌｅ受信情報に応じて、ＵＥ１００−１及びＵＥ１００−２によるＤ２Ｄ通信を許可する。以降の動作（ステップＳ１０１９乃至Ｓ１０２２）は、上述した動作例と同様である。
【０１８０】
［その他の実施形態］
この開示の一部をなす記述及び図面はこの発明を限定するものであると理解すべきではない。この開示から当業者には様々な代替実施形態、実施例及び運用技術が明らかとなる。
【０１８１】
例えば、Ｄ２Ｄ通信の可否を判定する主体は、ＭＭＥ／Ｓ−ＧＷ３００以外のネットワークエンティティであってもよい。例えば、Ｄ２Ｄ通信の可否を、ＯＡＭ４００が判定してもよく、ｅＮＢ２００が判定してもよい。
【０１８２】
なお、上述した実施形態では、発見用信号（Ｄｉｓｃｏｖｅｒ信号、Ｄｉｓｃｏｖｅｒａｂｌｅ信号、Ｄｉｓｃｏｖｅｒ応答）の送信に使用する無線リソースについて特に説明していなかったが、当該無線リソースは以下のように取り扱うことができる。
【０１８３】
報知情報にて、発見用信号のリソースとして使用可能なリソースを指定する。例えば、リソースブロックグループ（ＲＢＧ）と、サブフレーム（ｓｕｂｆｒａｍｅ）のオフセットｏｆｆｓｅｔ、周期ｐｅｒｉｏｄｉｃ（（ｓＦＮ＊１０ + ｓｕｂｆｒａｍｅ - ｏｆｆｓｅｔ) % ｐｅｒｉｏｄｉｃ = 0）にて指定する。報知情報は、２種類のリソース情報を含める。一方のリソース情報は、ネットワークの指示に応じて発見用信号の送受信に使用できる無線リソースを示し、他方のリソース情報は、ネットワークの指示なしで発見用信号の送受信に使用できる無線リソースを示す。例えば、１無線フレーム（ＳＦＮ）に送信リソースがN個存在する場合に、0からM-1をネットワーク指示として、MからN-1をネットワーク指示なしとする。
【０１８４】
Discoverを送出したいＵＥ１００は、ｅＮＢ２００に対して、帯域要求を行う。ｅＮＢ２００ないしネットワークは、Discoverの帯域割当(Discover Grant)、および、Discover応答の帯域割当(Discover Reply Grant)、帯域を許諾しているCell IDを有した割当情報を、ＵＥ１００に通知する。ＵＥ１００は、前記Discoverの送信帯域割当に基づいて、Discoverを送信する。この際、Discoverには、Discover応答の帯域割当(Discover Reply Grant)、帯域を許諾しているCell IDを含んでいる。Discoverに応答を行いたいＵＥ１００は、Serving Cell IDが、DiscoverのCell IDに一致する場合、DiscoverのDiscover応答の帯域割当(Discover RelpyGrant)に基づいて、Discover応答を送信する。
【０１８５】
ネットワークが、ＵＥ１００に対して、Discover送信を指示する場合、Discover送信指示に、Discoverの送信帯域割当、およびDiscover応答の送信帯域割当、D2Dの通信を要望するＵＥ１００全てのＵＥ１００識別子を記載する。Discover送信帯域割当、およびDiscover応答の送信帯域割当は、報知情報にて通知している送信帯域のうちから使用するリソースを選択する。例えば、報知情報にて、ネットワーク指定のリソースが、１ＳＦＮにN個存在する場合に、0からN-1の値Mを識別子として通知され、ＵＥ１００は、通知を受信した後の、1ＳＦＮ内のM番目のリソースを使ってDiscoverを送信する((ＳＦＮ*10 + subframe - offset) = (M * periodic))。
【０１８６】
なお、上述した実施形態では、本発明をＬＴＥシステムに適用する一例を説明したが、ＬＴＥシステムに限定されるものではなく、ＬＴＥシステム以外のシステムに本発明を適用してもよい。
【０１８７】
なお、米国仮出願第６１／６９４６０６号（２０１２年８月２９日出願）の全内容が、参照により、本願明細書に組み込まれている。
【産業上の利用可能性】
【０１８８】
以上のように、本発明は、Ｄ２Ｄ通信を適切に制御できるので、移動通信などの無線通信分野において有用である。
【図１】
2014034389.tif 000003
【図２】
2014034389.tif 000004
【図３】
2014034389.tif 000005
【図４】
2014034389.tif 000006
【図５】
2014034389.tif 000007
【図６】
2014034389.tif 000008
【図７】
2014034389.tif 000009
【図８】
2014034389.tif 000010
【図９】
2014034389.tif 000011
【図１０】
2014034389.tif 000012
【図１１】
2014034389.tif 000013
【図１２】
2014034389.tif 000014
【図１３】
2014034389.tif 000015
【図１４】
2014034389.tif 000016
【図１５】
2014034389.tif 000017
【図１６】
2014034389.tif 000018
【図１７】
2014034389.tif 000019
【図１８】
2014034389.tif 000020
【国際調査報告】
2014034389.tif 000021
2014034389.tif 000022